【事件の表示】
　上記当事者間の登録第３３４０６９６号商標の登録取消審判事件について、次のとおり審決する。
【結　論】
　本件審判の請求は、成り立たない。
　審判費用は、請求人の負担とする。
【理　由】
第１　本件商標
　本件登録第３３４０６９６号商標（以下、「本件商標」という。）は、「ヒューマン　メディア」及び「ＨＵＭＡＮ　ＭＥＤＩＡ」の文字を上下二段に横書きしてなり、平成６年４月１４日に登録出願、第９類「電子計算機（中央処理装置及び電子計算機用プログラムを記憶させた電子回路・磁気ディスク・光ディスク・光磁気ディスク・磁気テープその他の周辺機器を含む），その他の電子応用機械器具及びその部品，レコード，録音済み光ディスク，録音済み光磁気ディスク，録画済み磁気ディスク，録画済み光ディスク，録画済み光磁気ディスク，映像データを記憶した電子回路，文字データを記録した磁気ディスク・光ディスク・光磁気ディスク又は電子回路，映写フィルム，スライドフィルム，スライドフィルム用マウント，理化学機械器具，測定機械器具，配電用又は制御用の機械器具，電池，電気磁気測定器，電線及びケーブル，写真機械器具，映画機械器具，光学機械器具，眼鏡，加工ガラス（建築用のものを除く。），救命用具，電気通信機械器具，オゾン発生器，電解槽，ロケット，遊園地用機械器具，回転変流機，調相機，電気アイロン，電気式ヘアーカーラー，電気式ワックス磨き機，電気掃除機，電気ブザー，鉄道用信号機，乗物の故障の警告用の三角標識，発光式又は機械式の道路標識，火災報知機，事故防護用手袋，消火器，消火栓，消火ホース用ノズル，消防車，消防艇，盗難警報器，保安用ヘルメット，防火被服，防じんマスク，防毒マスク，磁心，自動車用シガーライター，抵抗線，電極，溶接マスク，ガソリンステーション用装置，自動販売機，駐車場用硬貨作動式ゲート，金銭登録機，計算尺，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，ウエイトベルト，ウエットスーツ，浮き袋，エアタンク，水泳用浮き板，潜水用機械器具，レギュレーター，アーク溶接機，犬笛，家庭用テレビゲームおもちゃ，金属溶断機，検卵器，電気溶接装置，電動式扉自動開閉装置，メトロノーム」を指定商品として、平成９年８月２２日に設定登録されたものである。
　
第２　請求人の主張
　請求人は、本件商標の指定商品中の「電子計算機（中央処理装置及び電子計算機用プログラムを記憶させた電子回路・磁気ディスク・光ディスク・光磁気ディスク・磁気テープその他の周辺機器を含む），その他の電子応用機械器具及びその部品，レコード，録音済み光ディスク，録音済み光磁気ディスク，録画済み磁気ディスク，録画済み光ディスク，録画済み光磁気ディスク，映像データを記憶した電子回路，文字データを記録した磁気ディスク・光ディスク・光磁気ディスク又は電子回路，映写フィルム，スライドフィルム，スライドフィルム用マウント，測定機械器具，配電用又は制御用の機械器具，電池，電気磁気測定器，電線及びケーブル，写真機械器具，映画機械器具，光学機械器具，電気通信機械器具，回転変流機，調相機，電気アイロン，電気式ヘアーカーラー，電気式ワックス磨き機，電気掃除機，電気ブザー，火災報知機，消防車，盗難警報器，磁心，自動車用シガーライター，抵抗線，電極，計算尺，家庭用テレビゲームおもちゃ，メトロノーム，及びこれらに類似する商品」についてその登録を取り消す、審判費用は被請求人の負担とする、との審決を求め、その理由及び答弁に対する弁駁を要旨次のように述べ、証拠方法として甲第１号証ないし甲第９号証（枝番号を含む。）を提出した。
１　請求人の調査したところによれば、本件商標は、取消請求をした上記指定商品について、今日に至るまで継続して３年以上にわたり、商標権者、専用使用権者、通常使用権者のいずれによっても日本国内において使用されていない。
２　答弁に対する弁駁
（１）乙第１号証について
　乙第１号証は被請求人の紹介パンフレットであり、それには商品の販売を行っている事実の記載はなく、使用事実を立証するものではない。また、被請求人は被請求人ホームページの寄付行為の項目（以下、「ホームページの寄付行為の項目」という。）により設立されたものであり、その項目中には、商品の販売を行うような記載はない（甲第２号証）。
　そして、該ホームページの寄付行為の項目によれば、映像を記録した録画済み光ディスク（以下、「録画済みＤＶＤ」という。）の販売は、その範囲外のものであり、録画済みＤＶＤの販売を行っているとの主張自体が失当である。録画済みＤＶＤの販売はホームページの寄付行為の項目の範囲外のものであり、録画済みＤＶＤの販売を行っているとの主張には具体的妥当性がない。
　また、被請求人のホームページには事業報告、事業計画、会計決算報告、会計予算書等が公表されているが、ビル事業の特別会計を除き、全てが目的及び事業の範囲内のものである。これらの何れにも商品の販売事業を行う報告や計画が明らかにされておらず、会計上の決算、予算にも計上されていないことから、被請求人が商品の販売事業を行っている事実がないことが証されるものである（甲第３号証ないし甲第８号証）。
（２）乙第２号証について
　乙第２号証中には、確かに「Ｂｅａｃｈ　＆　Ｘｍａｓ」及び「Ｈｕｍａｎ Ｍｅｄｉａ」の文字が表示されていることは認められる。しかしながら、乙第２号証によっては、被請求人が録画済みＤＶＤを製造、販売した事実は何ら証明されていないものであり、使用事実を示す証拠とはなり得ない。被請求人は「公募作品を集めた作品集」としているが、録画済みＤＶＤは平成１４年度の「ＨＭＣ編集塾作品集」であり、「公募」されたものとして認識されない。
　乙第２号証には「Ｈ１４年度　ＨＭＣ編集塾　作品集」の表示がされており、録画済みＤＶＤは、被請求人が２００３年３月（平成１４年度）に開催した「ＨＭＣ編集塾」の塾生による作品集としての録画済みＤＶＤであることが容易に理解されるものである。また、答弁書中には、「制作・販売を計画し」とあるが、上記録画済みＤＶＤは、塾生による作品集であり、被請求人がこれを「制作・販売を計画した」事実を乙第２号証より認識できるものではなく、正確に事実を伝えない誤認を与える主張をしている。このような主張をするのであれば、被請求人は、上記録画済みＤＶＤを制作・販売を計画した事実、及び公募した事実を証拠により明らかにされたい。
　また、平成１５年度（２００４年３月開催）の「ＨＭＣ編集塾」の「受講生募集のご案内」によると、受講料は「無料（食事代、交通費は受講者負担）」とされており、この記載から、録画済みＤＶＤ「ＨＭＣ編集塾作品集」が受講者に無償で提供されていたことが推認されるものである（甲第９号証）。
　以上のとおり、乙第２号証のみによっては、被請求人が録画済みＤＶＤに本件商標を使用していた事実を証明できないことは明らかであって、使用の事実を証明するというのであれば、録画済みＤＶＤの製造業者の名称や製造業者からの納入があった事実（日時、数量、価格等の明示されたもの）、包装の印刷業者の名称や印刷業者からの納入があった事実（日時、数量、価格等の明示されたもの）、録画済みＤＶＤ自体を販売店に卸したり需要者に販売した事実（納品書、請求書、販売格等の明示されたもの）等の使用の事実を明らかにする証拠を提出するとともに、商品の存在を明らかにするよう乙第２号証に示される録画済みＤＶＤ自体の提出をされるよう求める。
（３）乙第３号証について
　被請求人は、「公募の作品集は毎年製作（「制作」の用語が適切と認められるので以下、「制作」という。）予定で平成１５年度分は本年３月に製作・販売されている。（制作日が本件審判請求後であるが、商標「Ｈｕｍａｎ Ｍｅｄｉａ」の使用態様例として提出する。）」として乙第３号証を提出しているが、乙第３号証は被請求人が自認するとおり、本件審判請求における使用の事実を示す証拠ではない。なお、ここにおいても「公募」としており、録画済みＤＶＤが平成１５年度の「ＨＭＣ編集塾作品集」であることを明らかにしていない。また、乙第３号証の録画済みＤＶＤの制作日が「２００４／３／２３」と表示されているが、平成１５年度のＨＭＣ編集塾の開催期間「２００４／３／１５−２００４／３／２４」の表示もなされていることから（甲第９号証）、録画済みＤＶＤは開催期間中の３月２３日に塾生自身が制作したものであることが推認されるものである。
　また、被請求人が公表している事業報告及び収支決算報告を見ても、公募、制作及び販売がなされてる事実は存在しない（甲第４号証、甲第７号証）。
（４）乙第４号証について
　被請求人は、「その他にも北九州の観光地『門司区レトロ地区』を映像化した『記憶』等の録画済みＤＶＤも制作・販売している。」として乙第４号証を提出しているが、製造、販売の日時や取引の事実が証明されておらず使用の事実を証する証拠となるものではない。
（５）被請求人のその余の主張について
　被請求人は乙第１号証ないし乙第４号証により本件商標の使用の事実が証明されていることを前提として、平成１５年３月より現在まで使用されていること等の主張をしている。
　しかしながら、これらの主張は本件商標の使用の事実が立証されていることを前提としてなされているものであり、使用しているという前提が成立しない以上は争うまでもなく全てが否認されるものである。
（６）まとめ
　以上のとおり、被請求人の答弁によっては、本件商標が本審判請求の予告登録前３年以内に日本国内において使用されていたという事実が証明されているとは到底認められない。
　よって、本件商標は、商標法第５０条第１項に規定する取消の要件を充足するものである。
　
第３　被請求人の答弁の要点
　被請求人は、結論同旨の審決を求める、と答弁し、その理由を次のように述べ、証拠方法として乙第１号証ないし乙第４号証を提出した。
　本件商標は本件審判の請求の登録（予告登録）前３年以内に商標権者によって、第９類「録画済み光ディスク」について使用されているものであり、請求人の主張は根拠がないものである。
　被請求人は、広域的な産学官の支援のもと、平成８年４月１０日設立され、マルチメディア技術を人と人をとりまく環境との接点に活用し、様々な活動に取り組んでいる（乙第１号証）。
　その一つとして被請求人は、平成１４年頃より録画済みＤＶＤの制作・販売を計画し、平成１４年度の公募作品を集めた作品集「Ｂｅａｃｈ　＆  Ｘｍａｓ」を平成１５年３月５日、「Ｈｕｍａｎ　Ｍｅｄｉａ」の商標を付して制作・販売している（乙第２号証）。公募の作品集は毎年制作予定で平成１５年度分は本年３月に制作・販売されている（制作日が本件審判請求後であるが、商標「Ｈｕｍａｎ　Ｍｅｄｉａ」の使用態様例として提出する。）（乙第３号証）。その他にも北九州の観光地「門司区レトロ地区」を映像化した「記憶」等の録画済みＤＶＤも制作・販売している（乙第４号証）。
　これらの録画済みＤＶＤには「Ｈｕｍａｎ　Ｍｅｄｉａ」の文字が付されており、本件商標が商標として機能していることは明白である。
　また、本件商標は、「ヒューマン　メディア」の片仮名文字と「ＨＵＭＡＮ　ＭＥＤＩＡ」の欧文字を二段併記した構成からなり、上段および下段の各部分はそれぞれ称呼及び観念が同一であるためいずれか一方のみでの使用が認められており、また本願商標下段の「ＨＵＭＡＮ　ＭＥＤＩＡ」と使用態様「Ｈｕｍａｎ　Ｍｅｄｉａ」（以下、「本件使用態様」という。）とは書体及び大文字、小文字の表示に変更を加えた同一の文字からなる商標で、本件使用態様は本件商標の使用といえるものである。
　以上のとおり、本件商標は本件審判の請求の登録前３年以内（平成１５年３月より現在まで）に商標権者によって、指定商品「録画済み光ディスク」について使用されているものであり、商標法第５０条第１項の規定により取り消されるべきものではない。
　
第４　当審の判断
（１）乙第２号証は、録画済みＤＶＤを撮影した写真であって、録画済みＤＶＤの包装又は録画済みＤＶＤ本体に、「Ｈｕｍａｎ　Ｍｅｄｉａ」、平成１４年度　ＨＭＣ編集塾　作品集」、「制作・発売元／（財）九州ヒューマンメディア創造センター」、「制作２００３／０３／０５」、「ＤＶＤ」、「ＶＩＤＥＯ」の文字などが表示されていることが認められる。
（２）乙第３号証は、録画済みＤＶＤを撮影した写真であって、その録画済みＤＶＤの包装又は録画済みＤＶＤ本体に「Ｈｕｍａｎ　Ｍｅｄｉａ」、「平成１５年度　ＨＭＣ編集塾　作品集」、「制作・著作・発売元／（財）九州ヒューマンメディア創造センター」、「制作２００４／０３／２３」、「ＤＶＤ」、「ＶＩＤＥＯ」の文字などが表示されていることが認められる。
（３）乙第２号証ないし乙第３号証、請求人及び被請求人の主張によれば、被請求人は、乙第２号証及び乙第３号証の写真に撮影されている録画済みＤＶＤを２００４年（平成１６年）３月２３日に制作し、これを本件審判の請求の登録（平成１６年４月１日）前３年以内に販売した事実を認めることができる。なお、被請求人は、乙第３号証の写真に撮影されている録画済みＤＶＤについて、これは本年（平成１６年）３月に制作・販売されている旨主張しながら、その制作日が本件審判請求後であるとしているのは、本件審判の請求の登録の日を被請求人が誤認した結果であることは明らかである。
　ところで、請求人は、乙第１号証に被請求人が商品の販売を行っている事実の記載がないこと、被請求人がホームページの寄付行為の項目により設立されたものであり、その項目中に商品の販売を行うような記載はないことを根拠に、録画済みＤＶＤの販売は　ホームページの寄付行為の項目の範囲外のものである旨主張する。また、公表されている被請求人のホームページには商品の販売事業を行う報告や計画が明らかにされておらず、会計上の決算、予算にも計上されていないことから、被請求は、商品の販売事業を行っている事実がないことが証される旨主張する。
　しかし、甲第２号証に示されたホームページの寄付行為の項目の第２章「目的及び事業」（第３条及び第４条）によれば、被請求人は、その寄付行為第４条に定められている１．ないし５．の各号の事業以外に「６．前各号に掲げるもののほか、本財団の目的を達成するために必要な事業」を行うことが可能であり、必要な範囲で物品販売をすることもできるものと解される。　また、当事者の主張及び証拠とを併せ考慮すると、被請求人は、受講生を公募して２００４年（平成１６年）３月１５日から３月２４日の間、「ＨＭＣ編集塾」という映像制作技術を体験するための短期集中講座（受講料無料）を開催し、公募に応じた受講生が「ＨＭＣ編集塾」において制作した映像作品に「ＨＭＣ編集塾」の講師作品を一部加えて編集したといえるものである。そして、被請求人の編集したものが乙第３号証の写真に撮影されている録画済みＤＶＤであることが窺われる。
　そうすると、甲第９号証は、請求人主張のように被請求人が本件商標を使用していない事実を証明するものというよりは、むしろ、乙第３号証の写真に撮影されている録画済みＤＶＤが製造された経緯の事実の立証に資する資料といえるものである。
　そしてまた、公表されている被請求人のホームページや会計上の決算、予算に被請求人が商品の販売事業を行っている事実を示す記載がないのは、被請求人の事業としては、それらを記載して公表するまでの重要性がないためと考えられるから、これをもって、被請求人が録画済みＤＶＤなどの商品を販売していない事実を立証していないものとはいえない。
　よって、請求人の前記主張は、いずれも理由がないものであり、採用することができない。
　そして、乙第２号証及び乙第３号証の写真に撮影されている録画済みＤＶＤの包装又は録画済みＤＶＤ本体に表示されている「Ｈｕｍａｎ　Ｍｅｄｉａ」の文字は自他商品の識別標識としての商標であり、また、社会通念上、本件商標と同一の商標と認めることができる。
　そうすると、本件審判の請求の登録前３年以内に日本国内において本件商標権者が本件審判請求に係る指定商品中の「録画済み光ディスク」について、本件商標を使用した事実が認められる。
　したがって、本件商標の商標登録は、審判請求に係る指定商品について、商標法第５０条の規定により取り消すことができない。
　よって、結論のとおり審決する。